【手続補正書】
【提出日】平成27年10月29日(2015.10.29)
【手続補正１】
【補正対象書類名】特許請求の範囲
【補正対象項目名】全文
【補正方法】変更
【補正の内容】
【特許請求の範囲】
【請求項１】
可動光学素子を有するレンズ装置であって、
前記可動光学素子の移動に伴って前記可動光学素子の光軸回りに回転する回転部材と、
前記回転部材の回転方向に沿って前記回転部材に固定され、磁気信号が記録される第一の幅の着磁部が前記回転方向に沿って複数配置される第一の磁気記録部材と、
前記回転部材の回転方向に沿って前記回転部材に固定され、磁気信号が記録される前記第一の幅とは異なる第二の幅の着磁部が前記回転方向に沿って複数配置される第二の磁気記録部材と、
前記第一の磁気記録部材に記録されている磁気信号を検出する第一の信号検出部と、
前記第二の磁気記録部材に記録されている磁気信号を検出する第二の信号検出部と、
前記第一の信号検出部によって検出される磁気信号と、前記第二の信号検出部によって検出される磁気信号とを利用して、前記可動光学素子の位置を検出する位置検出部と、を備え、
前記第一の磁気記録部材における複数の前記着磁部の各々の前記第一の幅と、前記第二の磁気記録部材における複数の前記着磁部の各々の前記第二の幅は、それぞれ、前記回転部材の回転方向における幅であり、
前記第一の信号検出部は、前記回転部材の回転方向に沿って、前記第一の幅の｛（ｎ＋１）／ｎ｝倍（ｎは３以上の自然数）の間隔を空けて配置されるｎ個の第一の磁気センサと、前記ｎ個の第一の磁気センサのいずれか１つに対して前記回転方向に前記間隔よりも小さい間隔を空けた位置に配置される第二の磁気センサとを含み、
前記第二の信号検出部は、前記いずれか１つの前記第一の磁気センサと前記回転方向位置が同じ第三の磁気センサと、前記第二の磁気センサと前記回転方向位置が同じ第四の磁気センサとを含み、
前記位置検出部は、前記いずれか１つの第一の磁気センサ、前記第二の磁気センサ、前記第三の磁気センサ、及び前記第四の磁気センサによって検出される磁気信号を利用して前記可動光学素子の位置を検出する第一位置検出部と、ｎ個の前記第一の磁気センサの検出信号に基づいて、前記第一の磁気記録部材と１つの前記第一の磁気センサとの相対位置を変化させた場合に前記１つの第一の磁気センサにより検出される正弦波状の磁気信号、における最大ピークと最小ピークの中間レベルを算出する中間レベル算出部と、前記第一位置検出部で検出した位置、前記算出した中間レベル、前記いずれか１つの第一の磁気センサの検出信号、及び前記第二の磁気センサの検出信号に基づいて、前記可動光学素子の位置を検出する第二位置検出部と、を含むレンズ装置。
【請求項２】
可動光学素子を有するレンズ装置であって、
前記可動光学素子の移動に伴って前記可動光学素子の光軸回りに回転する回転部材と、
前記回転部材の回転方向に沿って前記回転部材に固定され、磁気信号が記録される第一の幅の着磁部が前記回転方向に沿って複数配置される第一の磁気記録部材と、
前記回転部材の回転方向に沿って前記回転部材に固定され、磁気信号が記録される前記第一の幅とは異なる第二の幅の着磁部が前記回転方向に沿って複数配置される第二の磁気記録部材と、
前記第一の磁気記録部材に記録されている磁気信号を検出する第一の信号検出部と、
前記第二の磁気記録部材に記録されている磁気信号を検出する第二の信号検出部と、
前記第一の信号検出部によって検出される磁気信号と、前記第二の信号検出部によって検出される磁気信号とを利用して、前記可動光学素子の位置を検出する位置検出部と、を備え、
前記第一の磁気記録部材における複数の前記着磁部の各々の前記第一の幅と、前記第二の磁気記録部材における複数の前記着磁部の各々の前記第二の幅は、それぞれ、前記回転部材の回転方向における幅であり、
前記第一の信号検出部は、前記回転部材の回転方向に沿って、前記第一の幅の｛（ｎ＋１）／ｎ｝倍（ｎは３以上の自然数）の間隔を空けて配置されるｎ個の第一の磁気センサと、前記ｎ個の第一の磁気センサの各々に対して前記回転方向に前記間隔よりも小さい間隔を空けた位置に配置される第二の磁気センサとを含み、
前記第二の信号検出部は、前記ｎ個の第一の磁気センサの各々と前記回転方向位置が同じ第三の磁気センサと、前記ｎ個の第二の磁気センサと前記回転方向位置が同じ第四の磁気センサとを含み、
前記位置検出部は、前記ｎ個の第一の磁気センサ、前記ｎ個の第二の磁気センサ、前記ｎ個の第三の磁気センサ、及び前記ｎ個の第四の磁気センサによって検出される磁気信号を利用して前記可動光学素子の位置を検出する第一位置検出部と、前記ｎ個の第一の磁気センサの検出信号に基づいて、前記第一の磁気記録部材と１つの前記第一の磁気センサとの相対位置を変化させた場合に前記１つの第一の磁気センサにより検出される正弦波状の磁気信号、における最大ピークと最小ピークの中間レベルを算出する中間レベル算出部と、前記第一位置検出部で検出した位置、前記算出した中間レベル、前記ｎ個の第一の磁気センサのいずれかの検出信号、及び前記いずれかの第一の磁気センサの隣にある前記第二の磁気センサの検出信号に基づいて、前記可動光学素子の位置を検出する第二位置検出部と、を含むレンズ装置。
【請求項３】
請求項２記載のレンズ装置であって、
前記第一位置検出部は、前記ｎ個の第一の磁気センサ、前記ｎ個の第二の磁気センサ、前記ｎ個の第三の磁気センサ、及び前記ｎ個の第四の磁気センサによって検出される磁気信号から、前記ｎ個の第一の磁気センサの各々と、前記各々の第一の磁気センサと前記回転方向位置が同じ前記第三の磁気センサとにより検出されている２つの磁気信号の位相差を算出し、算出したｎ個の位相差の平均値に基づいて前記位置を検出するレンズ装置。
【請求項４】
請求項１乃至３のいずれか１項記載のレンズ装置であって、
前記第二位置検出部は、前記中間レベル、１つの前記第一の磁気センサの検出信号、及び前記１つの第一の磁気センサの隣にある前記第二の磁気センサの検出信号に基づいて、前記１つの第一の磁気センサにより検出されている磁気信号が、前記正弦波状の磁気信号を複数の象限に分けた場合のどの象限における信号であるかを特定し、前記複数の象限のいずれかの象限における位相毎に２つの磁気信号の位相差を対応付けたデータと、前記特定した象限と、前記１つの第一の磁気センサ及び前記１つの第一の磁気センサの隣にある前記第二の磁気センサの各々の検出信号の位相差と、前記第一位置検出部で検出された位置とに基づいて、前記可動光学素子の位置を検出するレンズ装置。
【請求項５】
レンズ装置に搭載される可動光学素子の位置検出方法であって、
前記可動光学素子の移動に伴って回転する回転部材の回転方向に沿って固定され、第一の着磁幅で磁気信号が記録される第一の磁気記録部材から、第一の信号検出部により前記磁気信号を検出する第一の信号検出ステップと、
前記回転部材の回転方向に沿って固定され、前記第一の着磁幅とは異なる第二の着磁幅で磁気信号が記録される第二の磁気記録部材から、第二の信号検出部により前記磁気信号を検出する第二の信号検出ステップと、
前記第一の信号検出ステップによって検出される磁気信号と、前記第二の信号検出ステップによって検出される磁気信号とを利用して、前記可動光学素子の位置を検出する位置検出ステップと、を備え、
前記第一の着磁幅と前記第二の着磁幅は、それぞれ、前記回転部材の回転方向における幅であり、
前記第一の信号検出部は、前記回転部材の回転方向に沿って、前記第一の着磁幅の｛（ｎ＋１）／ｎ｝倍（ｎは３以上の自然数）の間隔を空けて配置されるｎ個の第一の磁気センサと、前記ｎ個の第一の磁気センサのいずれか１つに対して前記回転方向に前記間隔よりも小さい間隔を空けた位置に配置される第二の磁気センサとを含み、
前記第二の信号検出部は、前記いずれか１つの前記第一の磁気センサと前記回転方向位置が同じ第三の磁気センサと、前記第二の磁気センサと前記回転方向位置が同じ第四の磁気センサとを含み、
前記位置検出ステップは、前記いずれか１つの第一の磁気センサ、前記第二の磁気センサ、前記第三の磁気センサ、及び前記第四の磁気センサによって検出される磁気信号を利用して前記可動光学素子の位置を検出する第一位置検出ステップと、ｎ個の前記第一の磁気センサの検出信号に基づいて、前記第一の磁気記録部材と１つの前記第一の磁気センサとの相対位置を変化させた場合に前記１つの第一の磁気センサにより検出される正弦波状の磁気信号、における最大ピークと最小ピークの中間レベルを算出する中間レベル算出ステップと、前記第一位置検出ステップで検出した位置、前記算出した中間レベル、前記いずれか１つの第一の磁気センサの検出信号、及び前記第二の磁気センサの検出信号に基づいて、前記可動光学素子の位置を検出する第二位置検出ステップと、を含む可動光学素子の位置検出方法。
【請求項６】
レンズ装置に搭載される可動光学素子の位置検出方法であって、
前記可動光学素子の移動に伴って回転する回転部材の回転方向に沿って固定され、第一の着磁幅で磁気信号が記録される第一の磁気記録部材から、第一の信号検出部により前記磁気信号を検出する第一の信号検出ステップと、
前記回転部材の回転方向に沿って固定され、前記第一の着磁幅とは異なる第二の着磁幅で磁気信号が記録される第二の磁気記録部材から、第二の信号検出部により前記磁気信号を検出する第二の信号検出ステップと、
前記第一の信号検出ステップによって検出される磁気信号と、前記第二の信号検出ステップによって検出される磁気信号とを利用して、前記可動光学素子の位置を検出する位置検出ステップと、を備え、
前記第一の着磁幅と前記第二の着磁幅は、それぞれ、前記回転部材の回転方向における幅であり、
前記第一の信号検出部は、前記回転部材の回転方向に沿って、前記第一の着磁幅の｛（ｎ＋１）／ｎ｝倍（ｎは３以上の自然数）の間隔を空けて配置されるｎ個の第一の磁気センサと、前記ｎ個の第一の磁気センサの各々に対して前記回転方向に前記間隔よりも小さい間隔を空けた位置に配置される第二の磁気センサとを含み、
前記第二の信号検出部は、前記ｎ個の第一の磁気センサの各々と前記回転方向位置が同じ第三の磁気センサと、前記ｎ個の第二の磁気センサと前記回転方向位置が同じ第四の磁気センサとを含み、
前記位置検出ステップは、前記ｎ個の第一の磁気センサ、前記ｎ個の第二の磁気センサ、前記ｎ個の第三の磁気センサ、及び前記ｎ個の第四の磁気センサによって検出される磁気信号を少なくとも利用して前記可動光学素子の位置を検出する第一位置検出ステップと、前記ｎ個の第一の磁気センサの検出信号に基づいて、前記第一の磁気記録部材と１つの前記第一の磁気センサとの相対位置を変化させた場合に前記１つの第一の磁気センサにより検出される正弦波状の磁気信号、における最大ピークと最小ピークの中間レベルを算出する中間レベル算出ステップと、前記第一位置検出ステップで検出した位置、前記算出した中間レベル、前記ｎ個の第一の磁気センサのいずれかの検出信号、及び前記いずれかの第一の磁気センサの隣にある前記第二の磁気センサの検出信号に基づいて、前記可動光学素子の位置を検出する第二位置検出ステップと、を含む可動光学素子の位置検出方法。
【手続補正２】
【補正対象書類名】明細書
【補正対象項目名】００１４
【補正方法】変更
【補正の内容】
【００１４】
本発明の可動光学素子の位置検出方法は、レンズ装置に搭載される可動光学素子の位置検出方法であって、前記可動光学素子の移動に伴って回転する回転部材の回転方向に沿って固定され、第一の着磁幅で磁気信号が記録される第一の磁気記録部材から、第一の信号検出部により前記磁気信号を検出する第一の信号検出ステップと、前記回転部材の回転方向に沿って固定され、前記第一の着磁幅とは異なる第二の着磁幅で磁気信号が記録される第二の磁気記録部材から、第二の信号検出部により前記磁気信号を検出する第二の信号検出ステップと、前記第一の信号検出ステップによって検出される磁気信号と、前記第二の信号検出ステップによって検出される磁気信号とを利用して、前記可動光学素子の位置を検出する位置検出ステップと、を備え、前記第一の着磁幅と前記第二の着磁幅は、それぞれ、前記回転部材の回転方向における幅であり、前記第一の信号検出部は、前記回転部材の回転方向に沿って、前記第一の着磁幅の｛（ｎ＋１）／ｎ｝倍（ｎは３以上の自然数）の間隔を空けて配置されるｎ個の第一の磁気センサと、前記ｎ個の第一の磁気センサのいずれか１つに対して前記回転方向に前記間隔よりも小さい間隔を空けた位置に配置される第二の磁気センサとを含み、前記第二の信号検出部は、前記いずれか１つの前記第一の磁気センサと前記回転方向位置が同じ第三の磁気センサと、前記第二の磁気センサと前記回転方向位置が同じ第四の磁気センサとを含み、前記位置検出ステップは、前記いずれか１つの第一の磁気センサ、前記第二の磁気センサ、前記第三の磁気センサ、及び前記第四の磁気センサによって検出される磁気信号を利用して前記可動光学素子の位置を検出する第一位置検出ステップと、ｎ個の前記第一の磁気センサの検出信号に基づいて、前記第一の磁気記録部材と１つの前記第一の磁気センサとの相対位置を変化させた場合に前記１つの第一の磁気センサにより検出される正弦波状の磁気信号、における最大ピークと最小ピークの中間レベルを算出する中間レベル算出ステップと、前記第一位置検出ステップで検出した位置、前記算出した中間レベル、前記いずれか１つの第一の磁気センサの検出信号、及び前記第二の磁気センサの検出信号に基づいて、前記可動光学素子の位置を検出する第二位置検出ステップと、を含むものである。
【手続補正３】
【補正対象書類名】明細書
【補正対象項目名】００１５
【補正方法】変更
【補正の内容】
【００１５】
本発明の可動光学素子の位置検出方法は、レンズ装置に搭載される可動光学素子の位置検出方法であって、前記可動光学素子の移動に伴って回転する回転部材の回転方向に沿って固定され、第一の着磁幅で磁気信号が記録される第一の磁気記録部材から、第一の信号検出部により前記磁気信号を検出する第一の信号検出ステップと、前記回転部材の回転方向に沿って固定され、前記第一の着磁幅とは異なる第二の着磁幅で磁気信号が記録される第二の磁気記録部材から、第二の信号検出部により前記磁気信号を検出する第二の信号検出ステップと、前記第一の信号検出ステップによって検出される磁気信号と、前記第二の信号検出ステップによって検出される磁気信号とを利用して、前記可動光学素子の位置を検出する位置検出ステップと、を備え、前記第一の着磁幅と前記第二の着磁幅は、それぞれ、前記回転部材の回転方向における幅であり、前記第一の信号検出部は、前記回転部材の回転方向に沿って、前記第一の着磁幅の｛（ｎ＋１）／ｎ｝倍（ｎは３以上の自然数）の間隔を空けて配置されるｎ個の第一の磁気センサと、前記ｎ個の第一の磁気センサの各々に対して前記回転方向に前記間隔よりも小さい間隔を空けた位置に配置される第二の磁気センサとを含み、前記第二の信号検出部は、前記ｎ個の第一の磁気センサの各々と前記回転方向位置が同じ第三の磁気センサと、前記ｎ個の第二の磁気センサと前記回転方向位置が同じ第四の磁気センサとを含み、前記位置検出ステップは、前記ｎ個の第一の磁気センサ、前記ｎ個の第二の磁気センサ、前記ｎ個の第三の磁気センサ、及び前記ｎ個の第四の磁気センサによって検出される磁気信号を少なくとも利用して前記可動光学素子の位置を検出する第一位置検出ステップと、前記ｎ個の第一の磁気センサの検出信号に基づいて、前記第一の磁気記録部材と１つの前記第一の磁気センサとの相対位置を変化させた場合に前記１つの第一の磁気センサにより検出される正弦波状の磁気信号、における最大ピークと最小ピークの中間レベルを算出する中間レベル算出ステップと、前記第一位置検出ステップで検出した位置、前記算出した中間レベル、前記ｎ個の第一の磁気センサのいずれかの検出信号、及び前記いずれかの第一の磁気センサの隣にある前記第二の磁気センサの検出信号に基づいて、前記可動光学素子の位置を検出する第二位置検出ステップと、を含むものである。
【手続補正４】
【補正対象書類名】明細書
【補正対象項目名】０１１５
【補正方法】変更
【補正の内容】
【０１１５】
本実施形態では、信号検出部５１０が、磁気記録部材４１の各着磁部の幅λａの５／４倍の間隔で並べられた５つの磁気センサ（５１ａＡ〜５１ｅＡ）を含む構成である。このような構成にすることで、５つの磁気センサによって、磁気記録部材４１に記録される正弦波状の磁気信号の中点レベルよりも大きいレベルの電圧信号（図６の例では破線６３と信号波形Ａとの交点の信号）と、該中点レベルよりも小さいレベルの電圧信号（図６の例では破線６１と信号波形Ａとの交点の信号）とを含む電圧信号を確実に検出することができる。
【手続補正５】
【補正対象書類名】明細書
【補正対象項目名】０１３３
【補正方法】変更
【補正の内容】
【０１３３】
以上のように、本実施形態のレンズ装置２によれば、電源ＯＮ後、回転筒２０が静止した状態で、ズームレンズの詳細位置を検出することができ、レンズ位置の検出速度向上を図ることができる。